(57)【要約】【課題】組立の簡単化を図る。【解決手段】従動歯車７が機構躯体２に設けられた可変抵抗器８のボリューム軸２２に前側から嵌め込まれ、駆動歯車６の歯部４６と従動歯車７の歯部５０とが互いに噛み合わされ、駆動歯車６の後突起４８と機構躯体２の駆動歯車支持孔１４とが互いに回転可能に嵌め合わされ、機構躯体２の支柱１６が操作体３の裏側から逃孔３１に取り込まれ、前覆体５が操作体３の前側に被せられ、駆動歯車６の前突起４７と操作体３の駆動歯車支持孔３２とが互いに嵌め合わされ、前覆体５の取付脚４２が操作体３より前側に突出した支柱１６に前側から嵌め込まれた状態において、止ねじ６０が機構躯体２の頭部１２の裏側から支柱１６の内部を経由して前覆体５のねじ取付孔４３に締結されることによって、機構躯体２と前覆体５とが、それらの間に、操作体３を回転可能に介在させた格好で、互いに固定される。【選択図】図１
2005328967.tif 000002
【特許請求の範囲】
【請求項１】
機構躯体と操作体と前覆体と駆動歯車と従動歯車と可変抵抗器とからなる遊技機の発射操作機構において、機構躯体が複数の支柱と駆動歯車支持部とを備え、操作体が逃孔を備え、前覆体が取付脚を備え、駆動歯車が歯部と後突起と前突起とを備え、従動歯車が歯部とボリューム軸取付部とを備え、可変抵抗器が機構躯体に設けられ、従動歯車のボリューム軸取付部と機構躯体に設けられた可変抵抗器のボリューム軸とが互いに取り付けられ、駆動歯車の歯部と従動歯車の歯部とが互いに噛み合わされ、駆動歯車の後突起と機構躯体の駆動歯車支持部とが互いに回転可能に嵌め合わされ、機構躯体の支柱が操作体の逃孔に取り込まれ、前覆体が機構躯体の前側に被せられ、駆動歯車の前突起と操作体の駆動歯車支持孔とが互いに嵌め合わされ、前覆体の取付脚と支柱とが互いに嵌め込まれ、止ねじが機構躯体の裏側から支柱の内部を経由して前覆体の取付脚に締結されることによって、機構躯体と前覆体とが、それらの間に操作体を回転可能に介在させた格好で、互いに固定されたことを特徴とする遊技機の発射操作機構。
【発明の詳細な説明】
【技術分野】
【０００１】
本発明は、組立が簡単な遊技機の発射操作機構に関する。
【背景技術】
【０００２】
遊技者がパチンコ機の球を遊技盤の遊技領域に発射する操作を行うための発射操作機構は、遊技者がハンドルレバーと呼ばれる操作体を回転操作すると、操作体が操作体の操作量を電気的なエネルギーに変換する可変抵抗器のボリューム軸を回転している。しかしながら、操作体を機構躯体に軸で回転可能に支持する構造であるため、軸を操作体と機構躯体とのいずれか一方または両方に回転可能に嵌め込む部分には高精度の嵌め合い寸法が要求され、組立が面倒であるという欠点があった。
【特許文献１】特開２００２−１０２４３６号公報
【特許文献２】特開２０００−３００７３９号公報
【発明の開示】
【発明が解決しようとする課題】
【０００３】
発明が解決しようとする問題点は、軸と操作体と機構躯体との組立が面倒であるという点である。
【課題を解決するための手段】
【０００４】
本発明に係る遊技機の発射操作機構は、機構躯体と操作体と前覆体と駆動歯車と従動歯車と可変抵抗器とからなる遊技機の発射操作機構において、機構躯体が複数の支柱と駆動歯車支持部とを備え、操作体が逃孔を備え、前覆体が取付脚を備え、駆動歯車が歯部と後突起と前突起とを備え、従動歯車が歯部とボリューム軸取付部とを備え、可変抵抗器が機構躯体に設けられ、従動歯車のボリューム軸取付部と機構躯体に設けられた可変抵抗器のボリューム軸とが互いに取り付けられ、駆動歯車の歯部と従動歯車の歯部とが互いに噛み合わされ、駆動歯車の後突起と機構躯体の駆動歯車支持部とが互いに回転可能に嵌め合わされ、機構躯体の支柱が操作体の逃孔に取り込まれ、前覆体が機構躯体の前側に被せられ、駆動歯車の前突起と操作体の駆動歯車支持孔とが互いに嵌め合わされ、前覆体の取付脚と支柱とが互いに嵌め込まれ、止ねじが機構躯体の裏側から支柱の内部を経由して前覆体の取付脚に締結されることによって、機構躯体と前覆体とが、それらの間に操作体を回転可能に介在させた格好で、互いに固定されたことを最も主要な特徴とする。
【発明の効果】
【０００５】
本発明に係る遊技機の発射操作機構は、機構躯体、操作体、前覆体、駆動歯車、従動歯車、可変抵抗器からなる複数の構成部材が、止ねじだけで、互いに分離しないように取り付けられ、操作体が駆動歯車を中心として回転操作される構造であるので、上記複数の構成部材どうしの組立作業および分解作業が簡単であるという利点がある。
【発明を実施するための最良の形態】
【０００６】
図１−図３は発明を実施するための最良の形態である。図１は、発射操作機構１を分解して示す。図２は、発射操作機構１の組立断面を示す。図３は、発射操作機構１を取り付けた遊技機の正面を示す。
【０００７】
図１を参照し、発射操作機構１の各構成部品について説明する。発射操作機構１は、ハンドルグリップと呼ばれるものであって、機構躯体２、操作体３、前覆体５、駆動歯車６、従動歯車７、可変抵抗器８、配線９を備える。機構躯体２は、合成樹脂により、胴体１１、頭部１２、外周壁１３、駆動歯車支持孔１４、孔周壁１５、複数の支柱１６を、一体に形成した、グリップ本体と呼ばれるものである。前側に開口した皿形状の頭部１２は、筒形状の胴体１１の前部を覆うとともに、胴体１１よりも大きな外径の円形である。頭部１２の中心と胴体１１の中心とは、互いに、同軸形態ではなく、横方向に位置がずれている。
【０００８】
外周壁１３は、頭部１２の周縁部から前側に円形に突出する。駆動歯車支持孔１４は、頭部１２の中心部で前後方向に貫通し、頭部１２から前側に突出した孔周壁１５で囲まれる。支柱１６は、外周壁１３の内側に位置し、頭部１２から前方に突出する。支柱１６は、胴体１１よりも外側に位置する頭部１２の裏面と支柱１６の前面とに貫通する筒形状であって、内部に、ねじ挿入孔１７の形成された隔壁１８を備える。支柱１６の隔壁１８よりも前後には、支柱１６の内部孔が残存される。隔壁１８よりも前側に位置する支柱１６の内部孔は、前覆体５の取付脚４２を嵌め込むための孔として用いられる。隔壁１８よりも後側に位置する支柱１６の内部孔は、機構躯体２と前覆体５とを締結するスクリュータッピングのような止ねじ６０を挿入するとともに、止ねじ６０の頭部を格納するための孔として用いられる。駆動歯車支持孔１４と孔周壁１５とが駆動歯車支持部を構成する。
【０００９】
頭部１２には、可変抵抗器８が、次のように取り付けられる。可変抵抗器８が胴体１１の裏側から内部に挿入され、可変抵抗器８のボリューム容器の前面における突起２１が頭部１２に形成された位置決め孔１９に挿入され、ボリューム容器におけるボリューム軸２２の周りの取付部２３が頭部１２の裏側から頭部１２に形成された図外の貫通孔を経由して前側に貫通し、ボリューム容器の前面が頭部１２の裏面に接触した状態において、ナット２４が頭部１２の前側から取付部２３の雄ねじに装着されて締結され、ボリューム容器とナット２４とが頭部１２を前後から挟み付けることで、可変抵抗器８が頭部１２に回転しないように取り付けられ、ボリューム軸２２が頭部１２より前側に回転可能に突出する。ボリューム容器の内部には、抵抗線や抵抗線との接触位置を変えるように動く接触子などの可変抵抗要素を備える。ボリューム軸２２は、ボリューム容器の内部における接触子を動かす。
【００１０】
操作体３は、合成樹脂により、基部２７、複数の指掛部２８、配線孔２９、前周壁３０、逃孔３１、駆動歯車支持孔３２、配線取付孔３３を、一体に形成した、ハンドルレバーと呼ばれるものである。円盤状の基部２７は、頭部１２と略同じ大きさの円形である。指掛部２８は、基部２７の周囲から外側に突出する。配線孔２９は、基部２７の中心部で前後方向に貫通する。前周壁３０は、基部２７の周縁部から前側に円形に突出する。基部２７には、複数の逃孔３１は、前周壁３０の内側に沿い、基部２７の中心を中心とする弧状であって、基部２７に形成される。駆動歯車支持孔３２が、配線孔２９と逃孔３１との間に位置し、基部２７の中心を中心とする１つの円周と基部２７の中心を通る１本の直線との交点に位置し、前後方向に貫通する孔として、基部２７に形成される。駆動歯車支持孔３２は、上記交点を中心とした円形の孔であってもよいが、上記１本の直線に沿う方向に長い長孔であれば、駆動歯車６の前突起４７との組み合わせが容易である。操作体３の基部２７と指掛部２８および前周壁３０の表面には、人の接触を感知するための金属からなる被覆層がメッキで形成される。
【００１１】
前覆体５は、合成樹脂により、カバー本体４１、複数の取付脚４２、ねじ取付孔４３を、一体に形成した、ハンドルカバーと呼ばれるものである。カバー本体４１は半球形状である。カバー本体４１の内部は、裏面から前側に半球形状に窪む形状である。取付脚４２は、カバー本体４１の内面から裏側に向け、機構躯体２の支柱１６と対応する位置に、突出する。取付脚４２には、ねじ取付孔４３が、取付脚４２の裏面から内部に窪む、行き止まりの孔として形成される。
【００１２】
駆動歯車６は、合成樹脂により、配線孔４５、歯部４６、複数の前突起４７、後突起４８を、一体に形成した、平歯車である。配線孔４５は、駆動歯車６の中心に、前後方向に貫通する。歯部４６は、駆動歯車６の中心を中心とする１つの円周上に位置する外周面に形成される。前突起４７は、駆動歯車６の中心を中心とする１つの円周と駆動歯車６の中心を通る１本の直線との交点に位置し、駆動歯車６の前面から前側に、棒形状または筒形状に突出する。この前突起４７に対する１つの円周は、駆動歯車支持孔３２に対する１つの円周と同じ曲率半径である。後突起４８は、駆動歯車６の裏面から裏側に、筒形状に突出する。後突起４８の内部孔は、配線孔４５に連なる。
【００１３】
従動歯車７は、合成樹脂により、ボリューム軸取付部４９、歯部５０、ストッパー５１を、一体に形成した、平歯車である。ボリューム軸取付部４９の内部には、図２に示すボリューム軸取付孔５２が、従動歯車７の裏面からボリューム軸取付部４９の内部に、従動歯車７の軸心と直交する方向の断面が半月形状の異形に形成される。歯部５０は、従動歯車７の中心を中心とする１つの円周上に位置する外周面に形成される。ストッパー５１は、従動歯車７から径方向外側に突出する。そして、操作体３が左側に回転した場合、ストッパー５１が機構躯体２における図外の複数の突起の一方に突き当たることによって、操作体３がそれ以上左側に回転せず、操作体３が右側に回転した場合、ストッパー５１が機構躯体２における図外の複数の突起の他方に突き当たることによって、操作体３がそれ以上右側に回転しないというように、ストッパー５１は、機構躯体２に対する操作体３の回転運動範囲を規制する。配線９は、操作体３の表面における人の接触を感知するための金属からなる被覆層に接続される被覆電線により構成されており、配線９の一端には、被覆電線の絶縁被覆で覆われた電気導体に接続された電気端子５５が結合される。電気端子５５はねじ挿入孔５６を備える。
【００１４】
発射操作機構１の組み立て方について説明する。可変抵抗器８が機構躯体２に取り付けられ、従動歯車７におけるボリューム軸取付孔５２が機構躯体２から前側に突出したボリューム軸２２に嵌め込まれることによって、従動歯車７がボリューム軸２２に一緒に回転するように取り付けられる。また、駆動歯車６の歯部４６と従動歯車７の歯部５０とが互いに噛み合わされ、駆動歯車６の後突起４８が機構躯体２の前側から駆動歯車支持孔１４に嵌め込まれ、後突起４８の周囲における駆動歯車６の裏面が孔周壁１５に接触することによって、駆動歯車の後突起４８が機構躯体２の駆動歯車支持孔１４に回転可能に支持される。そして、機構躯体２の支柱１６が操作体３の逃孔３１に取り込まれるのに伴い、操作体３の駆動歯車支持孔３２が駆動歯車６の前突起４７に嵌め込まれることによって、操作体３と駆動歯車６とが互いに一緒に回転し得るように結合される。
【００１５】
次に、タッピングスクリューのような止ねじ５８が電気端子５５のねじ挿入孔５６を経由して操作体３の前側から配線取付孔３３に締結されることによって、配線９が操作体３における人の接触を感知するための金属からなる被覆層に接続される。配線９の他端は、操作体３の前側から配線孔２９と駆動歯車６の配線孔４５と後突起４８の内部および機構躯体２の胴体１１の内部を経由して機構躯体２の裏側に突出される。その後、前覆体５が機構躯体２の前側に被せられ、前覆体５の取付脚４２と逃孔３１を経由して操作体３の前側に突出した機構躯体２の支柱１６の隔壁１８よりも前部とが互いに前後方向で嵌め込まれ、止ねじ６０が機構躯体２の裏側から支柱１６の内部とねじ挿入孔１７とを経由して前覆体５のねじ取付孔４３に締結される。これによって、機構躯体２と前覆体５とが、それらの間に操作体３を回転可能に介在させた格好で、互いに固定される。これによって、発射操作機構１が図２に示す形態に組み立てられる。
【００１６】
図２において、機構躯体２と前覆体５とがそれらの間に操作体３を存在させた形態で図１に示す止ねじ６０で互いに結合された場合、前覆体５のカバー本体４１の裏側開口縁部が、操作体３の前周壁３０を径方向の外側から覆うとともに、前周壁３０の周りにおける操作体３の前面と前後方向で対向する。操作体３の基部２７の外周縁から裏側に円形に突出した後外周壁６３が機構躯体２の外周壁１３の前面と前後方向で対向し、後外周壁６３よりも内側で操作体３から裏側に突出した後内周壁６４が機構躯体２の外周壁１３の内面と径方向で対向するとともに頭部１２と前後方向で対向する。前覆体５と操作体３との間に形成される外側に開口する隙間６５、および、操作体３と機構躯体２との間に形成される外側に開口する隙間６６は、１円、５円、１０円、５０円、１００円、５００円などの硬貨の厚さよりも小さい寸法であって、それぞれの隙間６５；６６に硬貨を挟むことができないようになっている。
【００１７】
胴体１１の後端部には、発射操作機構１を相手側部材７３に取り付けるための機構取付部としての取付孔６７および突起６８が形成される。そして、発射操作機構１が相手側部材７３に取り付けられる場合、発射操作機構１の可変抵抗器８からの配線６９、および、操作体３の基部２７と指掛部２８および前周壁３０の表面の人の接触を感知するための金属からなる被覆層からの配線９は、機構躯体２の内部から相手側部材７３の配線孔７４を経由して相手側部材７３の裏側に引き出される。次に、突起６８が相手側部材７３の凹部７５に嵌め込まれ、スクリュータッピングのような止ねじ７６が相手側部材７３に形成されたねじ挿入孔７７から取付孔６７に締結されることによって、発射操作機構１が相手側部材７３に回転しないように取り付けられる。
【００１８】
図３を参照し、発射操作機構１を取り付けた遊技機として例示したパチンコ機について説明する。パチンコ機の遊技機枠８５は、パチンコ店の島と呼ばれる遊技機設置設備に取り付けられる。遊技機枠８５は、前面に前面化粧体８６と皿装置８７と発射操作機構１とを備え、内部に発射機構８８を備える。発射操作機構１が皿装置８７における相手側部材７３を構成する部分に取り付けられ、相手側部材７３の裏側に突出した発射操作機構１における図２に示す配線９；６９が遊技機枠８５の裏側に取り付けられた図外の制御装置に接続される。図外の制御装置には、発射機構８８の配線も接続される。また、遊技盤８９が遊技機枠８５の内部に格納され、遊技盤８９の前面におけるガイドレール９０で囲まれた内側の遊技領域９１が前面化粧体８６の窓９２を閉鎖するガラスまたは合成樹脂からなる光透過性の有る前面パネル９３で覆われる。
【００１９】
そして、制御装置が電力で起動され、皿装置８７に球が入れられ、遊技者が発射操作機構１の図１に示す操作体３を例えば右側に回転操作すると、図２に示す可変抵抗器８が可変抵抗値を上記制御装置に出力し、当該制御装置が例えば１分間１００発未満の周期による可変抵抗器８から制御装置に入力された可変抵抗値に対応する発射出力で発射機構８８を駆動し、発射機構８８が皿装置８７から供給された球を１個ずつ遊技領域９１に向けて発射する。この発射された球は、ガイドレール９０で仕切られた発射通路９４を経由して前面パネル９３と遊技領域９１との間の空間に発射され、遊技領域９１の入賞部品９５に入賞すると、遊技機枠８５の裏側から皿装置８７に賞球としての球が、払い出される。図３において、符号９６は球反発体、９７は球戻り防止弁、９８はアウト口である。
【００２０】
本実施形態によれば、従動歯車７が機構躯体２に設けられた可変抵抗器８の機構躯体２のボリューム軸２２に前側から嵌め込まれ、駆動歯車６の歯部４６と従動歯車７の歯部５０とが互いに噛み合わされ、駆動歯車の後突起４８と機構躯体２の駆動歯車支持孔１４とが互いに回転可能に嵌め合わされ、機構躯体２の支柱１６が操作体３の逃孔３１に取り込まれ、前覆体５が機構躯体２の前側に被せられ、駆動歯車６の前突起４７と操作体３の駆動歯車支持孔３２とが互いに嵌め合わされ、前覆体５の取付脚４２が支柱１６に前側から嵌め込まれた状態において、止ねじ６０が機構躯体２の頭部１２の裏側から支柱１６の内部とねじ挿入孔１７とを経由して前覆体５のねじ取付孔４３に締結されることによって、機構躯体２と前覆体５とが、それらの間に操作体３を回転可能に介在させた格好で、互いに固定される。したがって、機構躯体２、操作体３、前覆体５、駆動歯車６、従動歯車７、可変抵抗器８からなる複数の構成部材が、止ねじ６０だけで、互いに分離しないように取り付けられ、操作体３が駆動歯車６を中心として回転操作される構造であるので、上記複数の構成部材どうしの組立作業および分解作業が簡単であるという利点がある。また、機構躯体２の外周壁１３と操作体３の後内周壁６４とが互いに操作体３の回転中心と直交する径方向で対向した構造であるので、操作体３の径方向のがたつきを解消することができるという利点がある。さらに、操作体３の前周壁３０と前覆体５のカバー本体４１の周縁部とが互いに操作体３の回転中心と直交する径方向で対向した構造であるので、操作体３の径方向のがたつきを一層解消することができるという利点がある。操作体３の中心に操作体３と一緒に回転する駆動歯車６を設け、ボリューム軸２２にボリューム軸２２と一緒に回転する従動歯車７を設け構造であるので、操作体３とボリューム軸２２との回転量を１対１とする必要がなく、操作体３とボリューム軸２２との回転比を、可変抵抗器８の内部構造の関係から適切な値に設定することができるという利点がある。
【産業上の利用可能性】
【００２１】
駆動歯車６の後突起４８を機構躯体２の孔周壁１５の外側に外接嵌合してもよい。この場合、孔周壁１５が駆動歯車６を回転可能に支持する部材を形成し、駆動歯車支持孔１４は配線９を通すための配線孔として使用すればよい。遊技機としては、球を遊技媒体とするスロットマシンでもよい。
【図面の簡単な説明】
【００２２】
【図１】発射操作機構を示す分解斜視図（最良の形態）。
【図２】発射操作機構を示す組立断面図（最良の形態）。
【図３】発射操作機構の取り付けられた遊技機を示す正面図（最良の形態）。
【符号の説明】
【００２３】
１    発射操作機構
２    機構躯体
３    操作体
５    前覆体
８    可変抵抗器
１４  駆動歯車支持孔（駆動歯車支持部）
１５  孔周壁（駆動歯車支持部）
１６  支柱
３１  逃孔
４２  取付脚
４６  歯部
４７  前突起
４８  後突起
４９  ボリューム軸取付部
５０  歯部
６０  止ねじ
【図１】
2005328967.tif 000003
【図２】
2005328967.tif 000004
【図３】
2005328967.tif 000005